(57)【要約】【課題】チャプタをスキップする際にチャプタの状態を容易に確認でき、スキップ操作の操作性を向上させた映像記録再生装置及び映像記録再生方法を提供することを目的とする。【解決手段】映像記録再生装置は、記録媒体に記録された番組を再生する際、再生位置を示す情報バーを画面に表示する情報バー表示部と、前記番組に含まれるチャプタ情報を検出するチャプタ検出部と、前記番組を再生する際前記チャプタ検出部によって前記チャプタ情報が検出されたとき、前記情報バー上に前記チャプタ情報を表示するチャプタ情報表示部と、前記番組を再生する際前記チャプタ検出部によって前記チャプタ情報が検出されたとき、再生途中のチャプタの先頭付近のモニタ画像と再生途中の前記チャプタの後に続くチャプタの先頭付近のモニタ画像を画面に表示するモニタ画像表示部とを有する。【選択図】図７
2014003405.tif 000002
【特許請求の範囲】
【請求項１】
記録媒体に記録された番組を再生する際、再生位置を示す情報バーを画面に表示する情報バー表示部と、
前記番組に含まれるチャプタ情報を検出するチャプタ検出部と、
前記番組を再生する際前記チャプタ検出部によって前記チャプタ情報が検出されたとき、前記情報バー上に前記チャプタ情報を表示するチャプタ情報表示部と、
前記番組を再生する際前記チャプタ検出部によって前記チャプタ情報が検出されたとき、再生途中のチャプタの先頭付近のモニタ画像と再生途中の前記チャプタの後に続くチャプタの先頭付近のモニタ画像を画面に表示するモニタ画像表示部と
を有する映像記録再生装置。
【請求項２】
前記モニタ画像表示部は、再生途中の前記チャプタの先頭付近のモニタ画像と再生途中の前記チャプタの後に続くチャプタの先頭付近のモニタ画像を吹出しで表示し、前記吹出しの先端をそれぞれのチャプタの先頭またはその近傍に引出す請求項１に記載された映像記録再生装置。
【請求項３】
前記モニタ画像表示部は、前記番組を再生する際前記チャプタ検出部によって前記チャプタ情報が検出されなかったとき、再生中の前記番組の先頭付近のモニタ画像と最後尾付近のモニタ画像を画面に表示する請求項１に記載された映像記録再生装置。
【請求項４】
前記モニタ画像表示部が再生途中の前記チャプタの先頭付近のモニタ画像と再生途中の前記チャプタの後に続くチャプタの先頭付近のモニタ画像を画面に表示するかしないかを設定するモニタ画像設定部を有する請求項１に記載された映像記録再生装置。
【請求項５】
前記モニタ画像設定部は、前記モニタ画像に動画または静止画のいずれかを設定する請求項４に記載された映像記録再生装置。
【請求項６】
前記モニタ画像設定部は、前記モニタ画像に動画が設定されたとき、前記チャプタの先頭からの再生時間を設定する請求項５に記載された映像記録再生装置。
【請求項７】
前記モニタ画像設定部は、前記モニタ画像に静止画が設定されたとき、前記チャプタの先頭からの経過時間を設定する請求項５に記載された映像記録再生装置。
【請求項８】
記録媒体に記録された番組を再生する際、再生位置を示す情報バーを画面に表示し、
前記番組を再生する際前記番組のチャプタ情報が検出されたとき、前記情報バー上に前記チャプタ情報を表示し、
再生途中のチャプタの先頭付近のモニタ画像と再生途中の前記チャプタの後に続くチャプタの先頭付近のモニタ画像を画面に表示する映像記録再生方法。
【発明の詳細な説明】
【技術分野】
【０００１】
本発明の実施形態は、映像記録再生装置及び映像記録再生方法に関する。
【背景技術】
【０００２】
近年、ＨＤＤ（Hard Disk Drive）やＯＤＤ（Optical Disc Drive）に映像音声情報をデジタル記録することが可能な映像記録再生装置の普及が目覚しい。このような映像記録再生装置は、映像音声情報をデジタル記録するとき、あるいは記録した映像音声情報をチャプタと呼ばれる単位で分割編集することができる。チャプタによって見たいシーンの頭出しをしたり、好きなチャプタだけを集めて新しいタイトルを作ったりすることができる。
【０００３】
例えば、利用者は、映像記録再生装置で番組データを通常に再生しながら分割したいタイミングでチャプタ分割ボタンを押下してチャプタ分割ポイントを設定できる。また、映像記録再生装置によっては、番組データのシーンチェンジ点を検出して自動でチャプタ分割したり、所定の時間間隔でチャプタ分割したりする機能を有しているものもある。
【０００４】
放送番組を視聴するユーザがチャプタをスキップさせるスキップ操作において、映像記録再生装置の画面に再生中や録画中に現在の再生位置を示したり、チャプタのある場所を示したりするタイムバーを表示させてからスキップ操作することが行われている。例えば、タイムバー上でロケータ（カーソル）を移動することで、目的のチャプタへスキップさせることができる。
【先行技術文献】
【特許文献】
【０００５】
【特許文献１】特開２０１０−２３９２１０号公報
【発明の概要】
【発明が解決しようとする課題】
【０００６】
録画する番組の内容を自動で区切りながら録画する機能を有した映像記録再生装置では、番組の本編の放送とＣＭ（Commercial Message）放送の境界にチャプタの分割ポイントを設定することが多い。しかしながら、番組の内容や受信の状態によっては分割ポイントを誤認識したり認識できなかったりして、チャプタの分割位置が異なることやチャプタ分割されないことがある。
【０００７】
例えば、ＣＭ（Commercial Message）から番組本編に移り変わる部分におけるチャプタ分割の打ち損じがあった場合に、利用者が番組視聴中にＣＭ部分のチャプタをスキップさせた際に、遥か先のチャプタまでスキップしてしまう場合がある。
【０００８】
本実施形態は上記したような事情に鑑み成されたものであって、チャプタをスキップする際にチャプタの状態を容易に確認でき、スキップ操作の操作性を向上させた映像記録再生装置及び映像記録再生方法を提供することを目的とする。
【課題を解決するための手段】
【０００９】
上記目的を達成するために、実施形態によれば、映像記録再生装置は、記録媒体に記録された番組を再生する際、再生位置を示す情報バーを画面に表示する情報バー表示部と、前記番組に含まれるチャプタ情報を検出するチャプタ検出部と、前記番組を再生する際前記チャプタ検出部によって前記チャプタ情報が検出されたとき、前記情報バー上に前記チャプタ情報を表示するチャプタ情報表示部と、前記番組を再生する際前記チャプタ検出部によって前記チャプタ情報が検出されたとき、再生途中のチャプタの先頭付近のモニタ画像と再生途中の前記チャプタの後に続くチャプタの先頭付近のモニタ画像を画面に表示するモニタ画像表示部とを有する。
【図面の簡単な説明】
【００１０】
【図１】実施形態に係わる記録再生装置の外観斜視図。
【図２】実施形態に係わる記録再生装置の構成を示したブロック図。
【図３】実施形態に係わるリモコンの外観図。
【図４】実施形態に係わる情報バー制御部の構成を示したブロック図。
【図５】画面に情報バーが表示された状態を示した図。
【図６】画面にチャプタ境界を含む情報バーが表示された状態を示した図。
【図７】画面に再生途中のチャプタの先頭付近のモニタ画像と再生途中のチャプタの後に続くチャプタの先頭付近のモニタ画像が表示された状態を示した図。
【図８】図７における情報バーとモニタ画像の詳細を示した図。
【図９】画面に再生途中のチャプタの後に続くチャプタの先頭付近のモニタ画像とさらに１個後に続くチャプタの先頭付近のモニタ画像が表示された状態を示した図。
【図１０】画面にモニタ画像設定ウィンドーが表示された状態を示した図。
【図１１】画面にモニタ画像設定ウィンドーが表示された状態を示した図。
【図１２】画面に番組の先頭付近のモニタ画像と最後尾付近のモニタ画像が表示された状態を示した図。
【図１３】モニタ画像の設定処理の動作手順を示したフローチャート。
【図１４】情報バーおよびモニタ画像の表示処理の動作手順を示したフローチャート。
【図１５】画面に全てのチャプタの先頭付近のモニタ画像が表示された状態を示した図。
【発明を実施するための形態】
【００１１】
以下実施形態について図面を参照しながら説明する。図１は、実施形態に係る映像記録再生装置１の概観斜視図である。映像記録再生装置１は、デジタル放送を受信し、受信した放送番組の映像データ及び音声データの記録および再生が可能であって、画面に放送番組の映像を表示するデジタルテレビ等の記録再生装置である。あるいは、デジタル放送を受信し、受信した放送番組の映像データ及び音声データの記録および再生が可能なＤＶＤ（Digital Versatile Disc）レコーダやBlu-ray（登録商標）レコーダ等であってもよい。
【００１２】
映像記録再生装置１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１３】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー５の窓部５ａの内側の表示部分である。
【００１４】
リモコン８は赤外線あるいはBluetooth（登録商標）等による無線通信を利用して、映像記録再生装置１の操作受信部へ操作信号を送る操作機器である。
【００１５】
図２は、実施形態に係る映像記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１６】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理部１４に出力される。また、復調器１３は、ネットワーク送受信部３１を介してインターネット等のネットワーク３２から受信したＩＰ放送を復調する。
【００１７】
デコード処理部１４は、ＭＰＥＧデコーダ、映像音声デコーダ等の機能を有する。デコード処理部１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１８】
また、デコード処理部１４は、記録装置２６から入力された映像データ及び音声データをデコードする。更に、デコード処理部１４は、外部装置３０から入力された映像データ及び音声データをデコードする機能を有する。
【００１９】
重畳処理部１５は、デコード処理部１４からの映像データと、バス２０を介して転送されるデータ放送やＧＵＩ（Graphical User Interface）情報によるウィンドー描画をプレーン管理して、映像データとの重ね合わせを行い、映像処理部１６に送る。
【００２０】
映像処理部１６は、表示装置１７で表示可能なフォーマット（画素数、フレーム周波数、走査方式）に変換したり、表示色を任意に調整したりして、表示装置１７に出力して映像を画面７に表示させる。
【００２１】
音声処理部１８は、デコード処理部１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は映像記録再生装置１の外部にあってもよい。また、映像記録再生装置１と別の筐体に納められていてもよい。
【００２２】
映像記録再生装置１は、上記した受信動作を含むその全ての動作を制御部２１によって統括的に制御されている。制御部２１はＭＰＵ（Micro Processing Unit）２２が搭載されており、バス２０を介して接続された各構成要素を制御する。
【００２３】
ＲＡＭ（Random Access Memory）２３は、制御部２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２４】
フラッシュメモリ２５は、書き換え可能であり、電源を切ってもデータが消えない不揮発性のメモリである。フラッシュメモリ２５は、利用者によって設定された映像記録再生装置１の機能及び動作に関する各種設定値を記憶する機能を有する。
【００２５】
記録装置２６は、ＨＤＤ（Hard Disk Drive）、ＳＳＤ（Solid State Drive）あるいはＯＤＤ（Optical Disc Drive）等を含む記録手段である。記録装置２６には、情報を記録再生するためのエンコーダとデコーダが搭載されており、該エンコーダとデコーダを介してＭＰＥＧ２−ＴＳデータが記録装置２６の記録再生形態に適したフォーマットに変調されＨＤＤ、ＳＳＤあるいはＯＤＤに記録され、また復調されて再生データとして出力される。この再生データは、デコード処理部１４でデコードされる。
【００２６】
操作受信部２７は、操作機器２８から送信される操作信号を受信し、制御部２１に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信部２７は、これらリモコン８やキーボード等から操作信号を受信する。
【００２７】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３０が接続される。外部装置端子２９ａは外部装置３０が接続される端子である。
【００２８】
映像記録再生装置１は、外部インターフェース２９を介して外部装置３０に放送番組を記録することができる。記録装置２６または外部装置３０のどちらに記録するかを利用者が選択できる。また、映像記録再生装置１は、外部装置３０に記録された映像または音声情報を再生することができる。
【００２９】
映像記録再生装置１は、ネットワーク送受信部３１を介してインターネット等のネットワーク３２に接続されている。これにより、映像記録再生装置１は、ネットワーク３２上にあるサーバ３３等の機器とネットワーク送受信部３１を介して情報伝送を行なうことができる。ネットワーク端子３１ａはネットワーク３５が接続される端子である。ネットワーク送受信部３１とネットワーク３２の接続は有線だけでなく、例えば、ＩＥＥＥ８０２．１１シリーズの通信方式を用いた無線ＬＡＮ等の無線接続であってもよい。
【００３０】
図２において、制御部２１は、情報バー制御部３４の機能を有する。この機能は、制御モジュール２１のＭＰＵ２２が実行するアプリケーションであり、通常はＲＯＭ２４に格納されており、使用時にはＭＰＵ２２によって読み出され実行される。
【００３１】
情報バー制御部３４は、画面７の一部に再生中や録画中に現在の再生位置や録画位置を表示する情報バーを表示したり、この情報バーにチャプタ情報を追加表示したり、チャプタのモニタ画像を表示したりする機能を有する。情報バー制御部３４については、後述する。
【００３２】
図３は、実施形態に係わるリモコン８の外観図である。リモコン８は赤外線あるいはBluetooth（登録商標）等による無線通信を利用して、映像記録再生装置１の操作受信部２７へ操作信号を送る。電源ボタン４０は、映像記録再生装置１の電源をオンまたはオフする。詳細には映像記録再生装置１を待機状態から動作状態、または動作状態から待機状態にするボタンである。放送波選択ボタン４１は、放送の種類を選択する操作ボタンである。
【００３３】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３４】
カーソルボタン４５は画面７に表示されたＧＵＩ画面の各種の情報ウィンドー内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３５】
番組表ボタン４７は、番組表を画面７に表示するときに操作する専用の操作ボタンである。メニューボタン４８は、映像記録再生装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。タイムバーボタン５１は、画面７にタイムバーを表示させるときに操作するボタンである。
【００３６】
記録装置操作ボタン５２は、記録装置２６、あるいは外部装置３０に記録された番組を再生する際に、再生、停止、一時停止、早送り再生、早戻し再生、次番組スキップ、先頭戻り・前番組スキップするためのボタンである。再生ボタン５３は、記録装置２６に記録された番組の再生を開始するときに操作するボタンである。一時停止ボタン５４は、再生を一時的に止めて静止画像を表示するときに操作するボタンである。停止ボタン５５は、再生を止めるときに操作するボタンである。停止位置は一時的にＲＡＭ２３に記録される。
【００３７】
スキップボタン５６は、ひとつ先のチャプタへスキップするときに操作するボタンである。押す度に先のチャプタへ移動する。戻りスキップボタン５７は、現在のチャプタの先頭へ戻るときに操作するボタンである。続けて２回押すと一つ前のチャプタの先頭に戻ってから再生する。チャプタ分割／結合ボタン５８は新しくチャプタ境界を作ってチャプタを分割したり、また既存のチャプタ境界を削除してチャプタを結合したりするときに操作するボタンである。
【００３８】
図４は、実施形態に係わる情報バー制御部３４の構成を示したブロック図である。情報バー制御部３４は、情報バー表示部６０、チャプタ検出部６１、チャプタ情報表示部６２、モニタ画像表示部６３、モニタ画像設定部６４によって構成される。情報バー表示部６０は、記録装置２６または外部装置３０等の記録媒体に記録された番組を再生したり、記録媒体に録画したりする際、再生位置を示す情報バー６５を画面７に表示する機能を有する。情報バー表示部６０は、情報バー６５のＧＵＩ画像を生成し重畳処理部１５へ送信することによって、情報バー６５が画面に表示される。
【００３９】
図５は、画面７に情報バー６５が表示された状態を示した図である。情報バー６５は、例えば、画面７の下部に水平方向に延在する棒グラフに似た形状をした再生中の番組の時間経過を示すタイムバーである。情報バー６５は、再生中の番組の映像にオーバーラップして表示される。
【００４０】
情報バー６５の左端６６は再生中の番組の開始位置を示す。また、右端６７は再生中の番組の終了位置を示す。再生中の番組の再生位置にはロケータ（カーソル）６８が表示されている。ロケータ６８の位置は現在位置を示し、ロケータ６８の左側は時間軸で過去を示し、右側は時間軸で未来を示す。ロケータ６８は、再生時間が経過するに従い、右端６７方向に移動する。左端６６の下部には開始時間６９、右端６７の下部には再生中の番組の総時間数７０が示されている。開始時間６９の値は０時間０分０秒である。情報バー６５の中央付近の下部に現在の再生位置（時間）が表示される。図５においては、ロケータ６８によって示された再生位置は０時間２４分１８秒である。
【００４１】
情報バー６５は、利用者がリモコン８のタイムバーボタン５１を押下すると画面７に表示される。情報バー６５が表示された状態で、リモコン８のタイムバーボタン５１を押下すると表示が消える。
【００４２】
チャプタ検出部６１は、再生中の番組に含まれるチャプタ情報を検出する機能を有する。チャプタ情報は、チャプタ境界位置の位置情報、チャプタ名等の情報である。記録装置２６に記録された番組のチャプタ情報は番組毎に映像データ、音声データと共に記録されている。チャプタが打たれていない番組は、チャプタ情報は記録されていない。チャプタ検出部６１は、チャプタ情報が記録されていた場合に、これを検出する。
【００４３】
チャプタ情報表示部６２は、番組を再生する際チャプタ検出部６１によってチャプタ情報が検出されたとき、情報バー６５上にチャプタ境界７２の位置等のチャプタ情報を表示する機能を有する。
【００４４】
図６は、画面７にチャプタ境界７２を含む情報バー６５が表示された状態を示した図である。チャプタ情報表示部６２は、記録装置２６に記録された番組のチャプタ情報を取得し、チャプタ境界位置の位置情報から情報バー６５上における位置データを生成する。チャプタ情報表示部６２は、チャプタ境界のＧＵＩ画像を生成し重畳処理部１５へ送信することによって、情報バー６５にチャプタ境界７２が表示される。
【００４５】
チャプタ境界７２は、チャプタとチャプタの境界を示しており、図６に示すように情報バー６５上に線で示される。ロケータ６８のあるチャプタが再生途中のチャプタ（第１のチャプタ）、右側のチャプタは後ろ（未来）のチャプタ（第２のチャプタ）であり、左側のチャプタは前（過去）のチャプタ（第３のチャプタ）である。
【００４６】
利用者はリモコン８のスキップボタン５６を押下すると、再生途中のチャプタ（第１のチャプタ）から再生途中のチャプタの後に続くチャプタ（第２のチャプタ）の先頭にスキップすることができる。またスキップボタン５７を押下すると、再生途中のチャプタ（第１のチャプタ）の先頭にスキップすることができる。スキップボタン５７を続けて２回押すと一つ前のチャプタ（第３のチャプタ）の先頭にスキップすることができる。
【００４７】
モニタ画像表示部６３は、番組を再生する際チャプタ検出部６１によってチャプタ情報が検出されたとき、再生途中のチャプタ（第１のチャプタ）の先頭付近のモニタ画像７４と再生途中のチャプタの後に続くチャプタ（第２のチャプタ）の先頭付近のモニタ画像７５を画面７に表示する機能を有する。
【００４８】
図７は、画面７に再生途中のチャプタ（第１のチャプタ）の先頭付近のモニタ画像７４と再生途中のチャプタの後に続くチャプタ（第２のチャプタ）の先頭付近のモニタ画像７５が表示された状態を示した図である。図８は、図７における情報バー６５とモニタ画像７４、７５の詳細を示した図である。図番号７２ａから７２ｉはチャプタ境界を示し、図番号７３ａから７３ｉはチャプタを示す。図８において、再生途中のチャプタ（第１のチャプタ）は、ロケータ６８が存在するチャプタ７３ｄである。チャプタ７３ｄのチャプタ境界は、チャプタ７３の先頭にあるチャプタ境界７２ｄである。
【００４９】
情報バー６５を画面７に表示したときにモニタ画像を表示する設定になっているとき、チャプタ検出部６１によってチャプタ情報が検出された場合に、利用者が情報バー６５を表示すると、再生途中のチャプタ（第１のチャプタ）７３ｄの先頭付近のモニタ画像７４と再生途中のチャプタの後に続くチャプタ（第２のチャプタ）７３ｅの先頭付近のモニタ画像７５が、それぞれチャプタ境界７２ｄ、チャプタ境界７２ｅの近傍に表示される。
【００５０】
モニタ画像７４、７５は、チャプタの先頭から数秒間の動画またはチャプタの先頭付近の静止画である。動画の場合は先頭から数秒間の映像が繰返し表示される。モニタ画像７４、７５は、再生中の番組の映像にオーバーラップして表示される。図７、図８におけるモニタ画像７４、７５の形状は長方形であるが、これに限るものではなく、円形や楕円形あるいはその他の形状でもよい。
【００５１】
モニタ画像は吹出しの様態で表示されるようにしてもよい。吹出しの先端を該当するチャプタの先頭または近傍、あるいはチャプタ境界の位置へ引出すようにすると、表示されたモニタ画像とチャプタの対応関係が分かり易い。図８において、モニタ画像７４、７５の吹出しの先端７６、７７がそれぞれチャプタ境界７２ｄ、７２ｅを指し示している。利用者は、モニタ画像７４、７５を見ることによって、チャプタ７３ｄ、７３ｅの番組内容の始まり部分の概略を知ることができ、スキップの実行可否を容易に判断することができる。従って、利用者はチャプタをスキップする際にチャプタの状態を容易に確認でき、スキップ操作の操作性を向上できる。
【００５２】
図９は、画面７に再生途中のチャプタの後に続くチャプタ（第２のチャプタ）の先頭付近のモニタ画像７５とさらに１個後に続くチャプタ（第４のチャプタ）の先頭付近のモニタ画像７８が表示された状態を示した図である。図７、図８における表示状態のとき、利用者がリモコン８の右方向カーソルボタン４５ｂを１回押下すると、図９に示すように、チャプタ７３ｅの先頭付近のモニタ画像７５とチャプタ７３ｅの後に続くチャプタ７３ｆの先頭付近のモニタ画像７８が、それぞれチャプタ境界７２ｅ、チャプタ境界７２ｆの近傍に表示される。図９に示した表示状態のとき、さらに右方向カーソルボタン４５ｂを１回押下すると、チャプタ７３ｆの先頭付近のモニタ画像７８とチャプタ７３ｇの先頭付近のモニタ画像（図示せず）が、それぞれチャプタ境界７２ｆ、チャプタ境界７２ｇの近傍に表示される。右方向カーソルボタン４５ｂを１回押下すると、１個右隣のチャプタの先頭付近のモニタ画像を表示する。
【００５３】
同様に左方向カーソルボタン４５ａを押下した場合には、１個左隣のチャプタ（第３のチャプタ）の先頭付近のモニタ画像を表示する。例えば、図７における表示状態のとき、利用者がリモコン８の左方向カーソルボタン４５ａを１回押下すると、チャプタ７３ｃの先頭付近のモニタ画像（図示せず）とチャプタ７３ｄの先頭付近のモニタ画像７４が、それぞれチャプタ境界７２ｃ、チャプタ境界７２ｄの近傍に表示される。
【００５４】
モニタ画像設定部６４は、モニタ画像表示部６３が再生途中のチャプタ（第１のチャプタ）の先頭付近のモニタ画像と再生途中のチャプタの後に続くチャプタ（第２のチャプタ）の先頭付近のモニタ画像を画面に表示するかしないかを設定する機能を有する。また、モニタ画像設定部６４は、モニタ画像に動画または静止画を設定する機能、動画の再生時間の設定をする機能を有する。
【００５５】
図１０は、画面７にモニタ画像設定ウィンドー７９が表示された状態を示した図である。モニタ画像設定ウィンドー７９は、利用者が画面に情報バー６５を表示させたときに、再生途中のチャプタ（第１のチャプタ）の先頭付近のモニタ画像と再生途中のチャプタの後に続くチャプタ（第２のチャプタ）の先頭付近のモニタ画像を画面に表示するかしないかを設定するためのＧＵＩ画像である。モニタ画像設定ウィンドー７９は、利用者がリモコン８のメニューボタン４８を押下し、画面７に設定メニューの項目を表示させ、階層表示された複数の項目の中からタイムバー（情報バー）のモニタ画像の設定項目を選択することによって表示させることができる。図９においては、モニタ画像設定ウィンドー７９は、「タイムバーのモニタ画像の設定」というタイトル名で表示されている。
【００５６】
利用者は、画面７に情報バーを表示したときに、モニタ画像を同時に表示したい場合には、カーソルボタン４５を操作して「する」ボタン８０を選択し、決定ボタン４６を押下する。表示しない場合は「しない」ボタン８１を選択して決定ボタン４６を押下する。モニタ画像を表示することを選択した場合には、動画と静止画を選択する項目の入力が可能となる。利用者は、「動画」ボタン８２または「静止画」ボタン８３を選択して、決定ボタン４６を押下する。
【００５７】
動画を選択した場合には、チャプタ先頭からの再生時間を選択する入力が可能となる。チャプタ先頭から何秒間の動画を再生するかを秒単位で設定できる。利用者は、再生時間増減ボタン８４の矢印ボタンを選択して、再生時間を設定する。モニタ画像は、設定された時間の動画が繰返し再生される。再生時間を設定せずに先頭から継続して再生すると、先頭の画像であるという効果が薄れてしまうので、チャプタ先頭からの再生時間を設定した方がよい。ＣＭ放送は１５秒または３０秒であることが多く、１個のＣＭ放送の時間内で終了させるには再生時間は１５秒未満が望ましい。再生時間の最長時間は１２秒程度とすることが望ましい。１秒から１２秒の間で再生時間を指定できるようにし、工場出荷時には、１２秒に設定するようにしてもよい。モニタ画像設定部６４は、設定されたデータをフラッシュメモリ２５に記憶させる。
【００５８】
図１１は、画面７にモニタ画像設定ウィンドー７９が表示された状態を示した図である。利用者が、静止画を選択した場合には、チャプタ先頭からの経過時間を指定することが可能となる。利用者は、経過時間増減ボタン８５の矢印ボタンを選択して、経過時間を設定する。前述したように経過時間は１５秒未満が望ましい。最長時間は１２秒程度とすることが望ましい。１秒から１２秒の間で経過時間を指定できるようにし、工場出荷時には、０秒に設定するようにしてもよい。なお、経過時間の替わりにチャプタ先頭からのフレーム数で指定するようにしてもよい。モニタ画像設定部６４は、設定されたデータをフラッシュメモリ２５に記憶させる。
【００５９】
図１２は、画面７に番組の先頭付近のモニタ画像８６と最後尾付近のモニタ画像８７が表示された状態を示した図である。情報バー６５を画面７に表示したときにモニタ画像を表示する設定になっているとき、チャプタ検出部６１によってチャプタ情報が検出されなかった場合に、利用者が情報バー６５を表示すると、モニタ画像表示部６４は再生途中の番組の先頭付近のモニタ画像８６と最後尾付近のモニタ画像８７を画面７に表示させる。
【００６０】
動画または静止画の設定値、動画の再生時間の設定値はモニタ画像設定部６４によって設定されたデータに準ずる。最後尾付近のモニタ画像８７は、動画の場合には番組の最後から設定された再生時間だけ前に戻った時間からモニタ画像が開始され、番組の最後まで再生される動画である。静止画の場合には、番組の最後から設定された経過時間だけ前に戻った時間における静止画である。
【００６１】
図１３は、モニタ画像の設定処理の動作手順を示したフローチャートである。モニタ画像の設定処理は、利用者の操作によって画面７にモニタ画像設定ウィンドー７９の表示が指示されたときに開始される。Ｓ１１において、モニタ画像設定部６４は、画面７にモニタ画像設定ウィンドー７９を表示する。
【００６２】
Ｓ１２において、モニタ画像設定部６４は、画面７に情報バー６５を表示させたときにモニタ画像を表示するかどうかを判定する。利用者がモニタ画像を表示するように選択し決定した場合には、モニタ画像を表示すると判定し、Ｓ１３へ移る。モニタ画像を表示しないと判定した場合には、設定されたデータをフラッシュメモリ２５に記憶させ終了する。
【００６３】
Ｓ１３において、モニタ画像設定部６４は、モニタ画像を動画にするかまたは静止画にするかを判定する。モニタ画像設定部６４は、動画と静止画を選択する項目の入力が可能となるようにし、利用者がモニタ画像を動画にするように選択し決定した場合には、動画にすると判定し、Ｓ１４へ移る。静止画にすると判定した場合にはＳ１５へ移る。
【００６４】
Ｓ１４において、モニタ画像設定部６４は、モニタ画像を動画に設定し、さらに動画の再生時間を設定する。モニタ画像設定部６４は、動画の再生時間の設定が可能となるようにし、利用者が入力した設定時間に設定し、設定されたデータをフラッシュメモリ２５に記憶させ終了する。Ｓ１５において、モニタ画像設定部６４は、静止画の経過時間の設定が可能となるようにし、利用者が入力した経過時間に設定し、設定されたデータをフラッシュメモリ２５に記憶させ終了する。
【００６５】
図１４は、情報バーおよびモニタ画像の表示処理の動作手順を示したフローチャートである。Ｓ２１において、情報バー表示部６０は、情報バー６５の表示の指示があったかを判定する。利用者がリモコン８のタイムバーボタン５１を押下した場合には、情報バー６５の表示の指示があったと判定し、Ｓ２２へ移る。表示の指示がないと判定した場合には、Ｓ２１において継続して待機する。
【００６６】
Ｓ２２において、情報バー表示部６０は、情報バー６５を画面７に表示する。Ｓ２３において、チャプタ検出部６１は、再生中の番組にチャプタ情報が含まれているかを判定する。チャプタ情報が検出されたとき、番組にチャプタが設定されていると判定し、Ｓ２４に移る。チャプタ情報が検出されなかったとき、番組にチャプタが設定されていないと判定し、Ｓ２５に移る。チャプタ検出部６１による判定結果はフラッシュメモリ２５に記憶される。
【００６７】
Ｓ２４において、チャプタ情報表示部６２は、情報バー６５上にチャプタ境界７２の位置等のチャプタ情報を表示する。Ｓ２５において、モニタ画像表示部６３は、モニタ映像を表示する設定になっているかを判定する。モニタ画像表示部６３は、モニタ画像設定部６４によって設定されたデータをフラッシュメモリ２５から取得し判定する。モニタ映像を表示する設定になっている場合はＳ２６に移り、モニタ映像を表示する設定になっていない場合は終了する。
【００６８】
Ｓ２６において、モニタ画像表示部６３は、Ｓ２３における判定結果をフラッシュメモリ２５から取得して再生中の番組にチャプタ情報が含まれているかを判定する。チャプタが設定されていると判定した場合にはＳ２７へ移る。チャプタが設定されていないと判定した場合にはＳ２８へ移る。
【００６９】
Ｓ２７において、モニタ画像表示部６３は、再生途中のチャプタ（第１のチャプタ）の先頭付近のモニタ画像７４と再生途中のチャプタの後に続くチャプタ（第２のチャプタ）の先頭付近のモニタ画像７５を画面７に表示し、終了する。Ｓ２８において、モニタ画像表示部６３は、再生中の番組の先頭付近のモニタ画像８４と最後尾付近のモニタ画像８５を画面に表示し、終了する。
【００７０】
以上のように、画面７に情報バー６５を表示したときに、再生途中のチャプタ（第１のチャプタ）の先頭付近のモニタ画像７４と再生途中のチャプタの後に続くチャプタ（第２のチャプタ）の先頭付近のモニタ画像７５を表示することによって、利用者は、再生途中のチャプタと後に続くチャプタの番組内容の始まり部分の概略を知ることができ、スキップの実行可否を容易に判断することができる。従って、利用者はチャプタをスキップする際にチャプタの状態を容易に確認でき、スキップ操作の操作性を向上できる。
【００７１】
図１５は、画面７に全てのチャプタの先頭付近のモニタ画像が表示された状態を示した図である。図８におけるチャプタ７３ａからチャプタ７３ｉの先頭付近のモニタ画像をそれぞれのチャプタ境界７２ａからチャプタ境界７２ｉの近傍に表示される。画像表示の順序は再生途中のチャプタ（第１のチャプタ）の先頭付近のモニタ画像７４と再生途中のチャプタの後に続くチャプタ（第２のチャプタ）の先頭付近のモニタ画像７５であり、再生途中のチャプタ（第１のチャプタ）に近いチャプタほど表示の優先順位が高い。利用者が、右方向カーソルボタン４５ｂを１回押下すると、１個右隣のチャプタの先頭付近のモニタ画像を優先的に表示する。このようにすることによっても利用者は、チャプタ毎の先頭のモニタ画像を確認することができ、スキップの実行可否を容易に判断することができる。
【００７２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７３】
１  映像記録再生装置
７  画面
８  リモコン
１４  デコード処理部
１５  重畳処理部
１６  映像処理部
１７  表示装置
２１  制御部
２２  ＭＰＵ
２３  ＲＡＭ
２４  ＲＯＭ
２５  フラッシュメモリ
２６  記録装置
２７  操作受信部
２８  操作機器
２９  外部インターフェース
３０  外部装置
３１  ネットワーク送受信部
３２  ネットワーク
３３  サーバ
３４  情報バー制御部
４５ａ〜４５ｃ  カーソルボタン
４６  決定ボタン
４８  メニューボタン
５１  タイムバーボタン
６０  情報バー表示部
６１  チャプタ検出部
６２  チャプタ情報表示部
６３  モニタ画像表示部
６４  モニタ画像設定部
６５  情報バー
６８  ロケータ
７２  チャプタ境界
７３  チャプタ
７４  モニタ画像
７５  モニタ画像
７６  吹出しの先端
７７  吹出しの先端
７８  モニタ画像
７９  モニタ画像設定ウィンドー
８６  モニタ画像
８７  モニタ画像
【図１】
2014003405.tif 000003
【図２】
2014003405.tif 000004
【図３】
2014003405.tif 000005
【図４】
2014003405.tif 000006
【図５】
2014003405.tif 000007
【図６】
2014003405.tif 000008
【図７】
2014003405.tif 000009
【図８】
2014003405.tif 000010
【図９】
2014003405.tif 000011
【図１０】
2014003405.tif 000012
【図１１】
2014003405.tif 000013
【図１２】
2014003405.tif 000014
【図１３】
2014003405.tif 000015
【図１４】
2014003405.tif 000016
【図１５】
2014003405.tif 000017